(57)【要約】【課題】簡単に複数の表示部に表示されるアプリケーションを変更できる表示装置を提供する。【解決手段】複数の表示領域を有する表示部と、表示部に設けられ、物体の接触又は近接を入力として検出する入力検出部と、表示制御部と、を備える。入力検出部は、第１の入力及び第１の入力に時間的に後続する第２の入力を検出する。表示制御部は、第１の入力が検出された表示領域に表示されたアプリケーションを固定し、第２の入力に基づいて、第１の入力が検出されなかった表示領域に表示されるアプリケーションを変更する。【選択図】図１
2013246638.tif 000002
【特許請求の範囲】
【請求項１】
アプリケーションの画面を表示する複数の表示領域を有する表示部と、
前記表示部に設けられ、物体の接触又は近接を入力として検出する入力検出部と、
前記表示部による表示を制御する表示制御部と、
を備え、
前記入力検出部は、第１の入力及び前記第１の入力に時間的に後続する第２の入力を検出し、
前記表示制御部は、前記１の入力が検出された表示領域に表示されたアプリケーションを固定し、前記第２の入力に基づいて、前記第１の入力が検出されなかった表示領域に表示されるアプリケーションを変更する表示装置。
【請求項２】
請求項１に記載の表示装置であって、
前記入力検出部は、前記第１の入力の検出中に、前記第２の入力を検出する表示装置。
【請求項３】
請求項１または２に記載の表示装置であって、
前記入力検出部は、同一の表示領域への前記第１の入力及び前記第２の入力を検出する表示装置。
【請求項４】
請求項１ないし３のいずれか１項に記載の表示装置であって、
前記入力検出部は、第１の表示領域への前記第１の入力を検出し、第２の表示領域への前記第２の入力を検出する表示装置。
【請求項５】
請求項１ないし４のいずれか１項に記載の表示装置であって、
前記表示制御部は、少なくとも１つの表示領域に、起動中のアプリケーションの識別情報と、表示中のアプリケーションの識別情報と、を表示する表示装置。
【請求項６】
表示装置における表示制御方法であって、
アプリケーションの画面を複数の表示部により複数の表示領域に表示する表示ステップと、
前記表示部に設けられ、物体の接触又は近接を入力として、入力検出部により検出する入力検出ステップと、
前記表示部による表示を制御する表示制御ステップと、
を有し、
前記入力検出ステップでは、第１の入力及び前記第１の入力に時間的に後続する第２の入力を検出し、
前記表示制御ステップでは、前記１の入力が検出された表示領域に表示されたアプリケーションを固定し、前記第２の入力に基づいて、前記第１の入力が検出されなかった表示領域に表示されるアプリケーションを変更する表示制御方法。
【請求項７】
請求項６に記載の表示制御方法の各ステップをコンピュータに実行させるための表示制御プログラム。
【発明の詳細な説明】
【技術分野】
【０００１】
本発明は、表示装置、表示制御方法、及び表示制御プログラムに関する。
【背景技術】
【０００２】
近年、携帯電話、ＰＤＡ（Ｐｅｒｓｏｎａｌ  Ｄｉｇｉｔａｌ  Ａｓｓｉｓｔａｎｔ）などの携帯端末としての表示装置において、表示部の小型化、省電力化、表示性能の向上が進んでいる。そのため、１台の表示装置に複数、例えば、２つの表示部を設けて多数のアプリケーションを同時に楽しめるようになってきている。２つの表示部を設けた従来技術として、例えば、特許文献１が知られている。
【０００３】
特許文献１の情報処理装置は、ヒンジにより回動可能に結合された２つの本体部と、これらの本体部に取り付けられた２つの表示部と、画面制御用のＣＰＵと、中央制御用ＣＰＵと、インターフェース部と、を備える。また、表示部は、タッチパネル機能を備え、アプリケーション処理のための情報を表示し、２つの表示部を、１つの画面としても２つの独立した画面としても使用可能である。また、２つの表示部に異なったアプリケーションを表示できる。
【先行技術文献】
【特許文献】
【０００４】
【特許文献１】特開平９−３０５２５９号公報
【発明の概要】
【発明が解決しようとする課題】
【０００５】
特許文献１では、２つの表示部をそれぞれ独立して２つのアプリケーションを実行することは記載されているが、複数のアプリケーションの変更方法については開示されていない。
【０００６】
本発明は、上記事情に鑑みてなされたものであり、簡単に複数の表示部に表示されるアプリケーションを変更できる表示装置、表示制御方法、及び表示制御プログラムを提供することにある。
【課題を解決するための手段】
【０００７】
本発明の表示装置は、アプリケーションの画面を表示する複数の表示領域を有する表示部と、前記表示部に設けられ、物体の接触又は近接を入力として検出する入力検出部と、前記表示部による表示を制御する表示制御部と、を備え、前記入力検出部は、第１の入力及び前記第１の入力に時間的に後続する第２の入力を検出し、前記表示制御部は、前記第１の入力が検出された表示領域に表示されたアプリケーションを固定し、前記第２の入力に基づいて、前記第１の入力が検出されなかった表示領域に表示されるアプリケーションを変更する。
【０００８】
また、本発明の表示制御方法は、アプリケーションの画面を表示部により複数の表示領域に表示する表示ステップと、前記表示部に設けられ、物体の接触又は近接を入力として、入力検出部により検出する入力検出ステップと、前記表示部による表示を制御する表示制御ステップと、を有し、前記入力検出ステップでは、第１の入力及び前記第１の入力に時間的に後続する第２の入力を検出し、前記表示制御ステップでは、前記１の入力が検出された表示領域に表示されたアプリケーションを固定し、前記第２の入力に基づいて、前記第１の入力が検出されなかった表示領域に表示されるアプリケーションを変更する。
【０００９】
また、本発明の表示制御プログラムは、上記表示方法の各ステップをコンピュータに実行させるためのプログラムである。
【発明の効果】
【００１０】
本発明によれば、簡単に複数の表示部に表示されるアプリケーションを変更できる。
【図面の簡単な説明】
【００１１】
【図１】実施形態に係る表示装置の構成例を示すブロック図
【図２】実施形態に係る表示装置の構成例を示す斜視図であり、（ａ）開状態の一例を示す図、（ｂ）は閉状態の一例を示す図
【図３】（ａ）〜（ｃ）実施形態に係る表示装置の表示部に表示されるアプリケーションの変更例を示す模式図
【図４】実施形態に係る表示装置の動作例を示すフローチャート
【発明を実施するための形態】
【００１２】
以下、本発明の実施形態について、図面を参照して説明する。
【００１３】
図１は実施形態に係る表示装置１０の構成例を示すブロック図である。
表示装置１０は、制御部２０、表示部３０、及び入力検出部４０を備える。表示装置１０は、例えば携帯端末（例えば、携帯電話、スマートフォン、電子書籍装置、又はタブレット端末）である。
【００１４】
制御部２０は、表示装置１０全体を制御（例えば演算、検索、又は抽出を含む）し、表示制御部２５及びアプリケーション管理部２６を備える。制御部２０は、図示しない例えばＣＰＵ、ＲＡＭ、又はＲＯＭを有するマイクロプロセッサ構成を有する。例えばＲＯＭに格納された制御プログラムを例えばＣＰＵが実行することにより、制御部２０の各機能を実現する。
【００１５】
表示部３０は、例えば、液晶パネル、有機ＥＬパネル、又はプラズマのディスプレイを有する。また、表示部３０は、少なくとも２つの表示領域を有する。表示領域は、例えばアプリケーションの表示領域である。表示部３０は、例えばアプリケーションの画像情報をアプリケーション管理部２６から取得し、アプリケーションの画面を表示する。また、表示部３０は、複数のディスプレイを有し、各ディスプレイが１つ以上の表示領域を有してもよい。本実施形態では、主に、各表示部３０が１つの表示領域を有することを例示する。
【００１６】
入力検出部４０は、表示部３０に設けられる。入力検出部４０は、ユーザが表示部３０に表示されたアプリケーションに関するアイコンやアプリケーションを操作するために、例えば指又はスタイラスペンによる各種の操作を入力として検出する。つまり、表示部３０と入力検出部４０とにより、例えばタッチパネルとして動作する。また、入力検出部４０は、例えば、１つの表示部３０に対応して１つ設けられてよいし、１つの表示部３０が有する複数の表示領域に対応して複数設けられてもよいし、複数の表示部３０に対応して複数設けられてもよい。本実施形態では、主に、各表示部３０に各入力検出部４０が設けられることを例示する。
【００１７】
タッチパネルは、例えば、透明なシートを有し、マトリクス状に配列された２つの透明電極により、指等の近接又は接触を電極間の静電容量変化として検出する。入力検出部４０は、検出された入力信号を制御部２０へ出力する。入力信号は、入力位置の座標の情報を含む。タッチパネルの入力検出方式は、静電容量式に限らず、例えば光学式、抵抗膜式、又は赤外線式でもよい。
【００１８】
図１では、表示部３０が第１の表示部３１及び第２の表示部３２を有し、入力検出部４０が第１の入力検出部４１及び第２の入力検出部４２を備える場合を例示する。表示部、入力検出部の数は、これに限られない。
【００１９】
表示制御部２５は、例えば、アプリケーションの画像（例えば静止画像又は動画像）又は文字情報を、表示部３０に表示させる。また、表示制御部２５は、表示部３１，３２に表示されるアプリケーションを変更する。また、表示制御部２５は、入力検出部４０からの入力信号等を受け、表示部３１，３２に対して各種表示制御を行う。
【００２０】
アプリケーション管理部２６は、表示部３０により表示される各種アプリケーションの例えば起動又は停止を管理する。また、アプリケーション管理部２６は、起動中のアプリケーションの情報（例えば画像情報又は文字情報）を表示制御部２５へ出力する。
【００２１】
図２（ａ），（ｂ）は、表示装置１０の構成例を示す斜視図である。
【００２２】
表示装置１０は、第１の筐体１１、第２の筐体１２、第１の表示部３１、及び第２の表示部３２を備える。第１の表示部３１は、第１の筐体１１上に固定される。第２の表示部３２は、第２の筐体１２上に固定される。第１の表示部３１には、例えば第１の入力検出部４１が重ねられ、第２の表示部３２には、例えば第２の入力検出部４２が重ねられる。
【００２３】
第１の筐体１１および第２の筐体１２は、ヒンジを介して連結される。従って、第１の筐体１１と第２の筐体１２とは、ヒンジの回動軸を中心に回動可能である。第１の表示部３１及び第２の表示部３２とは、開状態と閉状態との間で矢印Ａ方向に相対的に回動可能である。
【００２４】
開状態は、例えば、図２（ａ）に示すように、第１の表示部３１および第２の表示部３２が互いに隣り合うとともに、第１の表示部３１の表面および第２の表示部３２の表面が略同一面に沿う状態である。
【００２５】
閉状態は、例えば、図２（ｂ）に示すように、ヒンジの回動軸１８を中心として、第１の表示部３１の表面および第２の表示部３２の表面が、互いに反対側を向く状態である。
【００２６】
次に、表示部３０に表示されるアプリケーションの変更例について説明する。
図３（ａ）〜（ｃ）は、表示部３１，３２に表示される複数のアプリケーションの変更を説明した模式図である。図３（ａ）→図３（ｂ）→図３（ｃ）の順に時系列で変化する例を示す。
【００２７】
図３（ａ）〜（ｃ）では、５つのアプリケーションが起動していることを示し、各アプリケーションを符号（１）〜（５）により簡略的に示す。なお、アプリケーション数は限定されない。起動中のアプリケーションは、例えばメール、ブラウザ、又は地図のアプリケーションを含む。
【００２８】
表示制御部２５は、例えば第１の表示部３１の画面上部に、起動中のアプリケーションの識別情報と、表示中のアプリケーションの識別情報と、を表示させる。起動中のアプリケーションは、起動中の全てのアプリケーションでもよいし、起動中の一部のアプリケーションでもよい。
【００２９】
図３（ａ）〜（ｃ）の例では、表示制御部２５は、起動中のアプリケーション（１）〜（５）を示す識別情報として、アプリケーションの番号をアプリケーションの配列順序に応じて表示させる。配列順序は任意の順序で設定可能とし、配列順序の初期状態としてはアプリケーションの起動順序と合致させてもよい。また、表示制御部２５は、表示中のアプリケーション（例えばアプリケーション（１），（２））を示す識別情報として、例えばアプリケーションの番号を丸印により囲んで表示させる。
【００３０】
図３（ａ）〜（ｃ）では、理解を簡単にするために、アプリケーション（１）〜（５）を左右方向に配列し、可視化している。実際には、例えばアプリケーション管理部２６が、アプリケーション（１）〜（５）に対応する配列順序の情報を保持する。
【００３１】
例えば、入力検出部４０への入力として左フリックが検出された場合に、表示制御部２５は、保持された配列順序に従って、表示部３０に表示されるアプリケーションを変更する。同様に、例えば、入力検出部４０への入力として右フリックが検出された場合に、表示制御部２５は、保持された配列順序の逆順に従って、表示部３０に表示されるアプリケーションを変更する。
【００３２】
図３（ａ）の時点では、第１の表示部３１にアプリケーション（１）が表示され、第２の表示部３２にアプリケーション（２）が表示される。また、アプリケーション（３）〜（５）については、起動されていてもよいが、表示部３１，３２に表示されていない。表示部３１，３２に表示開始されるときに、起動されてもよい。また、例えば第１の表示部３１の画面上部に、「１→２→３→４→５」の配列順序において、第１の表示部３１にアプリケーション（１）が表示され、第２の表示部３２にアプリケーション（２）が表示される旨の情報が表示される。
【００３３】
図３（ａ）の表示状態から、第１の表示部３１又は第２の表示部３２の画面上において、例えば左フリックの操作をすると、図３（ｂ）の表示状態に遷移する。
【００３４】
図３（ｂ）では、図３（ａ）において可視化のためにイメージを示したアプリケーション（１）〜（５）が、それぞれ左方向へ移動する。つまり、第１の表示部３１にアプリケーション（２）が表示され、第２の表示部３２にアプリケーション（３）が表示される。また、例えば第１の表示部３１の画面上部に、「１→２→３→４→５」の配列順序において、第１の表示部３１にアプリケーション（２）が表示され、第２の表示部３２にアプリケーション（３）が表示される旨の情報が表示される。
【００３５】
図３（ｂ）の表示状態から、以下のように動作すると、図３（ｃ）の表示状態になる。
【００３６】
まず、ユーザが、例えば、第２の表示部３２の画面に、指により接触する（第１の入力の一例）。第２の入力検出部４２は、この接触による入力座標の位置を含む第１の入力信号を、制御部２０へ出力する。第１の入力は、例えば接触操作の際に発生する。接触操作は、例えば長押し操作を含む。
【００３７】
第１の入力中（例えば指の接触中）又は第１の入力後に、ユーザが、例えば、第１の表示部３１または第２の表示部３２の画面に、他の指により接触する（第２の入力の一例）。第２の入力を検出した第１の入力検出部４１又は第２の入力検出部４２は、この接触による入力座標の位置を含む第２の入力信号を、制御部２０へ出力する。第２の入力は、例えばフリック操作の際に発生する。
【００３８】
制御部２０は、第１の入力が行われた第１の表示部３１に表示中のアプリケーションを固定する。アプリケーションを固定するとは、表示領域（ここでは第１の表示部３１が有する表示領域）に表示されるアプリケーションの変更を禁止することを意味する。
【００３９】
また、制御部２０は、第１の入力信号に遅延して第２の入力信号を受け、表示制御部２５が、第２の入力が行われた第１の表示部３１又は第２の表示部３２に表示されるアプリケーションを変更する。ただし、表示制御部２５は、アプリケーションの固定がある場合には、そのアプリケーションの変更を禁止する。
【００４０】
図３（ｂ）の状態において、例えば第１の表示部３１に指が接触している最中に、第１の表示部３１又は第２の表示部３２に左フリックの操作を行うと、第１の表示部３１に表示されたアプリケーション（２）は変更されない。アプリケーションが固定されていない第２の表示部３２に表示されるアプリケーションは、アプリケーション（４）に変更される。従って、図３（ｃ）の状態に遷移する。
【００４１】
また、図３（ｃ）では、図３（ｂ）において可視化のためにイメージを示したアプリケーション（１）〜（５）が、固定されているアプリケーションを除いて、左フリックに伴い、それぞれ左方向へ移動する。従って、配列順序が、「１→３→２→４→５」に変更される。例えば第１の表示部３１の画面上部に、「１→３→２→４→５」の配列順序において、第１の表示部３１にアプリケーション（２）が表示され、第２の表示部３２にアプリケーション（４）が表示される旨の情報が表示される。
【００４２】
従って、ユーザは、２つの表示部３１，３２の内、どちらか一方に表示されたアプリケーションを他のアプリケーションに変更したい場合、簡単な操作で変更が可能である。即ち、変更したくないアプリケーション（固定したいアプリケーション）が表示された表示部３０（例えば第１の表示部３１又は第２の表示部３２）に指等により接触することで、アプリケーションを固定できる。また、例えば指による接触中に、他の指等により例えばフリックことにより、アプリケーションが固定されていない表示部３０のアプリケーションを変更できる。尚、２つの表示部について説明したが、３つ以上であっても操作、効果は変わらない。
【００４３】
次に、表示装置１０の動作例について説明する。
図４は、表示装置１０の動作例を示すフローチャートである。
【００４４】
まず、表示制御部２５は、第１の表示部３１に一のアプリケーションを表示させる（ステップＳ１）。また、表示制御部２５は、第２の表示部３２に他のアプリケーションを表示させる（ステップＳ２）。
【００４５】
続いて、表示制御部２５は、第１の入力検出部４１又は第２の入力検出部４２からの第１の入力信号を取得したか否かを判定する（ステップＳ３）。例えば、第１の入力検出部４１又は第２の入力検出部４２は、ユーザによる接触操作等（第１の入力の一例）を検出し、接触位置（入力位置）の座標等を含む第１の入力信号を表示制御部２５へ出力する。第１の入力信号が取得されていない場合、ステップＳ３を繰り返す。
【００４６】
第１の入力信号が取得された場合、表示制御部２５は、第１の入力検出部４１又は第２の入力検出部４２からの第２の入力信号を取得したか否かを判定する（ステップＳ４）。例えば、第１の入力検出部４１又は第２の入力検出部４２が、ユーザによるフリック操作等（第２の入力の一例）を検出し、接触位置（入力位置）の座標等を含む第２の入力信号を表示制御部２５へ出力する。第２の入力信号が取得されていない場合、ステップＳ６に進む。
【００４７】
第２の入力信号が取得された場合、表示制御部２５は、第１の入力信号に含まれる入力座標の情報に基づいて、固定するアプリケーションを決定する（ステップＳ５）。表示制御部２５は、例えば固定するアプリケーションに対してフラグを立てることで、固定中であることを識別可能にする。入力座標の情報は、例えば、入力検出部４０における位置座標、どの入力検出部４０により入力を検知したかを識別するための入力検出部４０の識別情報を含む。
【００４８】
続いて、表示制御部２５は、アプリケーションの固定があるかどうかを判定する（ステップＳ６）。
【００４９】
アプリケーションの固定がある場合、表示制御部２５は、第２の入力信号に含まれる入力座標の変化に応じて、アプリケーションが固定されていない第１の表示部３１又は第２の表示部３２に表示されるアプリケーションを変更する（ステップＳ７）。従って、ステップＳ７によるアプリケーションの変更は、図３（ｂ）の表示状態から図３（ｃ）の表示状態への変更例に相当する。
【００５０】
一方、アプリケーションの固定がない場合、表示制御部２５は、第２の入力信号に含まれる入力座標の変化に応じて、第１の表示部３１又は第２の表示部３２に表示されるアプリケーションを変更する（ステップＳ７）。つまり、表示制御部２５は、入力操作に応じて、アプリケーションが固定されていない表示領域のアプリケーションを変更する。従って、ステップＳ７によるアプリケーションの変更は、図３（ａ）の表示状態から図３（ｂ）の表示状態への変更例に相当する。
【００５１】
このように、表示装置１０は、表示部３０と、入力検出部４０と、表示制御部２５と、を備える。表示部３０は、アプリケーションの画面を表示する複数の表示領域を有する。入力検出部４０は、表示部３０に設けられ、物体の接触又は近接を入力として検出する。表示制御部２５は、表示部３０による表示を制御する。入力検出部４０は、第１の入力及び第１の入力に時間的に後続する第２の入力を検出する。表示制御部２５は、第１の入力が検出された表示領域に表示されたアプリケーションを固定し、第２の入力に基づいて、第１の入力が検出されなかった表示領域に表示されるアプリケーションを変更する。
【００５２】
表示装置１０によれば、簡単に複数の表示領域に表示されるアプリケーションを変更できる。例えば、簡単な指等の操作で、複数のアプリケーションを同時に起動させても、すばやくアプリケーション固定と変更が可能となる。従って、簡単で直感的に分かりやすく、操作性に優れている。
【００５３】
また、入力検出部４０は、第１の入力の検出中に、第２の入力を検出してもよい。これにより、第１の入力と第２の入力とを少なくとも一時的に同時に行う必要があるので、誤動作によるアプリケーション変更の可能性を低減できる。
【００５４】
また、入力検出部４０は、同一の表示領域への第１の入力及び第２の入力を検出してもよい。これにより、第１の入力と第２の入力との距離が短いので、例えば片手での操作であっても、アプリケーション変更をし易くなる。
【００５５】
また、入力検出部４０は、第１の表示領域への第１の入力を検出し、第２の表示領域への第２の入力を検出してもよい。第１の表示領域は、例えば、第１の表示部３１の表示領域である。第２の表示領域は、例えば、第２の表示部３２の表示領域である。これにより、例えば１つの表示領域へのピンチ操作も有効に検出し、実行できる。
【００５６】
また、少なくとも１つの表示領域に、起動中のアプリケーションの識別情報と、表示中のアプリケーションの識別情報と、を表示してもよい。これにより、起動中のアプリケーションのうち、どのアプリケーションが表示中であるかをユーザが容易に認識でき、利便性が向上する。
【００５７】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【産業上の利用可能性】
【００５８】
本発明は、簡単に複数の表示部に表示されるアプリケーションを変更できる表示装置、表示制御方法、及び表示制御プログラム等に有用である。
【符号の説明】
【００５９】
１０  表示装置
２０  制御部
３０  表示部（第１の表示部３１、第２の表示部３２）
４０  入力検出部（第１入力検出部４１、第２入力検出部４２）
２５  表示制御部
２６  アプリケーション管理部
【図１】
2013246638.tif 000003
【図２】
2013246638.tif 000004
【図３】
2013246638.tif 000005
【図４】
2013246638.tif 000006